(57)【要約】【課題】ランプのねじ込み過ぎによるソケットの破損を防止し、誰でも簡単にランプを交換できるようにする。【解決手段】ストッパー１３０（本体側係合部）は、器具本体１００に固定されている。バネ２３０（ソケット側係合部）は、ストッパー１３０と係合する。ランプソケット２１０にランプを最後までねじ込み、更にねじ込もうとすると、ランプソケット２１０に所定のトルクより大きいトルクが加わる。すると、バネ２３０が上記所定の回転方向に回転して、ランプソケット２１０が破損するのを防ぐ。【選択図】図１
2010177158.tif 000002
【特許請求の範囲】
【請求項１】
器具本体とソケットとを有する照明器具において、
上記器具本体に固定された本体側係合部と、
上記ソケットに固定され、上記本体側係合部と係合し、所定の回転軸を中心とした所定の回転方向の、所定のトルクより大きいトルクを上記ソケットに加えると、上記所定の回転方向に回転するソケット側係合部とを有することを特徴とする照明器具。
【請求項２】
上記ソケット側係合部は、上記所定の回転軸を中心とした上記所定の回転方向と反対の回転方向のトルクを上記ソケットに加えた場合には回転しないことを特徴とする請求項１に記載の照明器具。
【請求項３】
上記ソケット側係合部は、
外力により弾性変形する弾性体により形成され、上記所定の回転軸から所定の自然距離の位置に設けられ、上記外力を加えることにより、上記所定の回転軸からの距離が大きくなる方向に変形する変形部を有し、
上記本体側係合部は、
上記所定の回転軸から上記所定の自然距離の位置に設けられ、上記ソケット側係合部が回転しようとした場合に、上記変形部と当接して、上記ソケット側係合部の回転を阻止し、上記変形部が変形して当接しなくなることにより、上記ソケット側係合部が上記所定の回転方向に回転するのを許す回転阻止部を有することを特徴とする請求項１または請求項２に記載の照明器具。
【請求項４】
上記回転阻止部は、上記ソケットに上記所定の回転方向のトルクが加えられた場合に、上記ソケットに加えられたトルクを上記変形部を変形させる外力に変換することを特徴とする請求項３に記載の照明器具。
【請求項５】
上記回転阻止部は、上記ソケットに上記所定の回転方向と反対の回転方向のトルクが加えられた場合に、上記ソケットに加えられたトルクを上記変形部を変形させる外力に変換しないことを特徴とする請求項３または請求項４に記載の照明器具。
【請求項６】
上記回転阻止部は、上記ソケット側係合部が上記所定の回転方向と反対の回転方向に回転しようとした場合に上記変形部と当接する面の形状が、上記所定の回転軸からの距離が遠くなるほど上記所定の回転方向に出ている形状であることを特徴とする請求項３乃至請求項５のいずれかに記載の照明器具。
【請求項７】
上記回転阻止部は、上記ソケット側係合部が上記所定の回転方向に回転しようとした場合に上記変形部と当接する面の形状が、上記所定の回転軸からの距離が近くなるほど上記所定の回転方向と反対の回転方向に出ている形状であることを特徴とする請求項３乃至請求項６のいずれかに記載の照明器具。
【発明の詳細な説明】
【技術分野】
【０００１】
この発明は、ソケットにランプをねじ込んで固定する照明器具に関する。
【背景技術】
【０００２】
白熱電球など、電極部分がネジ状で、ソケットにねじ込むことにより固定する形式のランプは、一般に広く使用されている。そのようなランプを取り付けるソケットを有する照明器具もまた、一般に広く使用されている。
このような形式のソケットは、ランプをねじ込むと、ランプの下部がソケット内のソケット接触片に当たり、止まる構造となっている。それでも作業者が更にねじ込もうとすると、ソケットやランプの口金部を破損する場合がある。
【先行技術文献】
【特許文献】
【０００３】
【特許文献１】特開２００５−１９３０７号公報
【発明の概要】
【発明が解決しようとする課題】
【０００４】
ランプの交換作業は、例えば、ランプが切れたときなどに行われ、作業者が力を加えすぎて、ソケットやランプを破損してしまう恐れがある。
この発明は、例えば、上記のような課題を解決するためになされたものであり、ソケットなどが破損するのを防止することを目的とする。
【課題を解決するための手段】
【０００５】
この発明にかかる取付け構造は、器具本体にソケットを取り付ける取付け構造において、
上記器具本体に固定された本体側係合部と、
上記ソケットに固定され、上記本体側係合部と係合し、所定の回転軸を中心とした所定の回転方向の、所定のトルクより大きいトルクを上記ソケットに加えると、上記所定の回転方向に回転するソケット側係合部とを有することを特徴とする。
【発明の効果】
【０００６】
この発明にかかる取付け構造によれば、ソケットに、所定の回転軸を中心とした所定の回転方向へ、所定のトルクより大きいトルクを加えると、ソケット側係合部が回転するので、ランプをソケットに取り付ける際、無理なトルクが加わってソケットやランプの口金部などが破損するのを防止することができる。
【図面の簡単な説明】
【０００７】
【図１】実施の形態１における照明器具８００の外観を示す斜視図。
【図２】実施の形態１におけるバネ２３０の形状を示す正視図。
【図３】実施の形態１におけるストッパー１３０の形状を示す正視図。
【図４】実施の形態１におけるストッパー１３０とバネ２３０とが係合する様子を示す平面図及びＡ−Ａ断面図。
【図５】実施の形態２におけるストッパー１３０の形状を示す底面図。
【図６】実施の形態２におけるバネ２３０の形状を示す正視図。
【発明を実施するための形態】
【０００８】
実施の形態１．
実施の形態１について、図１〜図４を用いて説明する。
【０００９】
図１は、この実施の形態における照明器具８００の外観を示す斜視図である。
照明器具８００は、天井面などから吊り下げて、白熱電球などのランプ５００を取り付ける形式の照明器具である。照明器具８００は、器具本体１００、ソケット部２００、セード３００、吊下げコード４００を有する。
器具本体１００は、照明器具８００の本体部分である。ソケット部２００は、ランプ５００を取り付けるランプソケット２１０などからなる部分である。セード３００は、ランプ５００を覆うカバーである。吊下げコード４００は、照明器具８００を天井などから吊り下げるコードであり、ランプ５００を点灯する電力を入力する配線を有する。
【００１０】
器具本体１００は、飾りパイプ１１０、セード受１２０、ストッパー１３０、ナット１４０を有する。飾りパイプ１１０は、吊下げコード４００を覆う円筒状のパイプであり、止め部１１１、ネジ山１１２、溝部１１３を有する。止め部１１１は、飾りパイプの下寄り外側に設けられた円環状の突起である。ネジ山１１２は、止め部１１１のすぐ下に設けられ、ナット１４０と螺合する。溝部１１３は、飾りパイプ１１０の下端付近外側に設けられた円環状の溝であり、後述する止め輪２４０と嵌合する。セード受１２０は、セード３００を取り付ける円盤状の板である。ストッパー１３０（本体側係合部）は、バネ２３０と係合する部分である。セード受１２０及びストッパー１３０には、中央に飾りパイプ１１０を通す丸い穴が開いている。なお、ストッパー１３０は、セード受１２０と一体に形成されたものであってもよい。ナット１４０は、飾りパイプ１１０に設けられたネジ山１１２と螺合して、止め部１１１との間にストッパー１３０及びセード受１２０を挟み、回転しないよう固定する。なお、セード受１２０及びストッパー１３０の中央に開けられた穴の内側に、ネジ山１１２と螺合するネジ溝が切られている構成であってもよい。
【００１１】
ソケット部２００は、ランプソケット２１０、ソケット台２２０、バネ２３０、止め輪２４０を有する。ランプソケット２１０は、ランプ５００をねじ込んで取り付ける部分であり、ランプ５００の電極と接触して、ランプ５００に電力を供給する電極を有する。ソケット台２２０は、ランプソケット２１０に固定された台である。バネ２３０（ソケット側係合部）は、ソケット台２２０に固定された板バネであり、ストッパー１３０と係合する。ソケット台２２０及びバネ２３０には、中央に飾りパイプ１１０を通す丸い穴が開いている。止め輪２４０は、例えばＣリングあるいはＥリングであり、ソケット台２２０及びバネ２３０に設けられた穴に飾りパイプ１１０を通して、ソケット台２２０の下から出てきた溝部１１３に止め輪２４０を嵌めることにより、飾りパイプ１１０が抜けないようにし、飾りパイプ１１０とソケット部２００とを回転自在に固定する。
【００１２】
図２は、この実施の形態におけるバネ２３０の形状を示す正視図である。
バネ２３０は、一枚の細長い長方形状の板を折り曲げた形状である。バネ２３０は、取付部２３１、二つの腕部２３３、２つの曲折部２３４、二つの爪部２３５を有する。
取付部２３１には、二つのネジ穴２３２と貫通穴２３７とが設けられている。ネジ穴２３２は、バネ２３０をソケット台２２０に固定するネジを通すための穴である。貫通穴２３７は、飾りパイプ１１０を通すための穴である。
腕部２３３は、取付部２３１の二つの短辺から先を斜め上方向に鈍角に折り曲げた形状である。
曲折部２３４は、腕部２３３の先端から先を緩やかに内側に折り曲げた形状であり、その先が爪部２３５をなす。爪部２３５（変形部）は、バネ２３０の先端部分であり、角を丸くしてある。爪部２３５は、内側斜め上方向を向いている。ここで、バネ２３０に外力が加わっていない場合における二つの爪部２３５の間隔をｄ、爪部２３５の先端の高さをｈとする。
【００１３】
図３は、この実施の形態におけるストッパー１３０の形状を示す正視図である。
ストッパー１３０は、直径φの円盤状の板に四つの切欠部１３６を対称に設けた、風車のような形状である。ストッパー１３０は、中央部１３１、四つの係止部１３３を有する。
中央部１３１は、一辺の長さがｗの概ね正方形状であり、中心に貫通穴１３２が設けられている。貫通穴１３２は、飾りパイプ１１０を通すための穴である。
四つの係止部１３３（回転阻止部）は、切欠部１３６によって切り欠かれずに残っている部分であり、バネ２３０の爪部２３５と当接することにより、ソケット部２００の回転を阻止する。係止部１３３のうち、締込当接部１３４は、ランプ５００をソケット部２００にねじ込むときに回す方向（通常は時計回り方向）に、バネ２３０を回したときにバネ２３０と当接する面であり、外し当接部１３５は、逆に、ランプ５００をソケット部２００から外すときに回す方向（反時計回り方向）に、バネ２３０を回したときにバネ２３０と当接する面である。また、切欠当接部１３７は、中央部１３１の外周面である。
【００１４】
図４は、この実施の形態におけるストッパー１３０とバネ２３０とが係合する様子を示す平面図及びＡ−Ａ断面図である。
なお、この図は、ストッパー１３０とバネ２３０との係合が見やすいよう、上から見たところを示している。このため、ストッパー１３０の向きが、図３に示した底面図と逆になっている。
【００１５】
ソケット部２００にトルクが加わっていない状態における二つの爪部２３５の間の距離ｄは、対向する切欠当接部１３７の間の距離ｗよりわずかに大きい程度であり、対向する二つの切欠部１３６に爪部２３５が嵌まった状態となる。
また、照明器具８００を天井面などから吊り下げている場合は、バネ２３０の上にセード受１２０が乗り、爪部２３５の反発力により、ソケット台２２０のガタツキを防止する。このとき、爪部２３５の先端が内側斜め上方向を向いているので、爪部２３５には、二つの爪部２３５の間の距離を近づける方向の力が加わった状態となる。
【００１６】
ランプソケット２１０にランプ５００を取り付ける場合、作業者は、ランプ５００をＦ方向に回そうとし、ソケット部２００には、Ｆ方向へのトルクが加わる。すると、バネ２３０がわずかに回転し、爪部２３５の側面が締込当接部１３４に当接する。締込当接部１３４は、回転の中心から遠ざかるほどＦ方向に下がり、回転の中心に近づくほどＲ方向へ出る形状である。このため、Ｆ方向へのトルクは、二つの爪部２３５の間隔を広げる方向の力に変換される。二つの爪部２３５の間隔は、ソケット部２００に加わるＦ方向へのトルクが大きくなるほど広くなる。
【００１７】
ランプ５００をランプソケット２１０にねじり込む途中の状態において、ソケット部２００に加わるトルクは、比較的小さいので、二つの爪部２３５の間隔は、ストッパー１３０の直径φまで達しない。したがって、爪部２３５に締込当接部１３４が当接してランプソケット２１０の回転を阻止する。これにより、ランプ５００だけが回転して、ランプ５００をランプソケット２１０にねじり込むことができる。
【００１８】
ランプ５００をランプソケット２１０にねじり込むと、ランプ５００の下部（例えば電極部分の先端）がランプソケット２１０内のソケット接触片に当接し、それ以上ねじり込むことができなくなる。作業者が、更に、ランプ５００をランプソケット２１０にねじり込もうとすると、ランプ５００に加えたトルクがそのままランプソケット２１０に伝達し、ソケット部２００に大きなトルクが加わる。二つの爪部２３５の間隔が広がり、係止部１３３の傾斜に沿って、ランプソケット２１０が少しだけ回転する。これにより、ランプソケット２１０に加わるトルクを逃がすことができる。作業者が、それでもなお、ランプ５００をランプソケット２１０にねじり込もうとすると、ソケット部２００に加わるトルクが所定の最大トルクより大きくなり、二つの爪部２３５の間隔が、ストッパー１３０の直径φに達するので、爪部２３５が係止部１３３を乗り越えて、ランプソケット２１０が回転する。ランプソケット２１０がランプ５００とともに回転するので、ランプ５００がそれ以上ランプソケット２１０に無理にねじり込まれるのを防ぐことができる。
【００１９】
ランプソケット２１０が９０度回転すると、爪部２３５が次の切欠部１３６に嵌まる。このとき、爪部２３５が切欠当接部１３７に当たり、カチッというクリック音を発する。これにより、作業者は、ランプ５００をこれ以上ねじり込めないことを知ることができる。
また、爪部２３５の先端が内側斜め上方向を向いているので、二つの爪部２３５の間隔が広がるとき、爪部２３５の先端の高さが高くなる。これにより、ランプソケット２１０が下方向へ押され、ランプ５００を取り付けようとしている作業者に感触として伝わる。爪部２３５が係止部１３３を乗り越えて、次の切欠部１３６に嵌まるときには、この「押される感触」がなくなるので、これによっても、作業者は、ランプ５００をこれ以上ねじり込めないことを知ることができる。
このように、クリック音や手に伝わる感触などにより、ランプ５００の取り付けが完了したことを作業者に知らせるので、作業者が、ランプソケット２１０やランプ５００を破損するまでランプ５００をねじり込むのを防ぐことができるとともに、逆に、作業者がランプソケット２１０やランプ５００を破損するのを恐れて、締め付けが不足するのを防ぐことができる。
【００２０】
ランプソケット２１０からランプ５００を取り外す場合、作業者は、ランプ５００をＲ方向へ回そうとし、ランプソケット２１０には、Ｒ方向へのトルクが加わる。すると、バネ２３０がわずかに回転し、爪部２３５の側面が外し当接部１３５に当接する。外し当接部１３５は、回転の中心に近づくほどＲ方向に下がり、回転の中心から遠ざかるほどＦ方向へ出る形状である。このため、Ｒ方向へのトルクは、二つの爪部２３５の間隔を広げる方向の力には変換されず、むしろ、二つの爪部２３５の間隔を狭める方向の力に変換される。したがって、爪部２３５が外し当接部１３５に当接して、ランプソケット２１０の回転を阻止する。これにより、ランプ５００だけが回転し、ランプソケット２１０からランプ５００を外すことができる。
【００２１】
この実施の形態における取付け構造（ストッパー１３０及びバネ２３０）は、器具本体１００にランプソケット２１０を取り付ける取付け構造であって、本体側係合部（ストッパー１３０）が器具本体１００に固定され、ソケット側係合部（バネ２３０）がランプソケット２１０に固定され、本体側係合部と係合し、ランプソケット２１０に、所定の回転軸を中心とした所定の回転方向（Ｆ方向）へ、所定のトルクより大きいトルクを加えると、ソケット側係合部が回転するので、ランプ５００をランプソケット２１０に取り付ける際、無理なトルクが加わってランプソケット２１０やランプ５００を破損するのを防止することができる。
また、ランプソケット２１０に逆方向（Ｒ方向）へのトルクを加えた場合には、ソケット側係合部（バネ２３０）が回転しないので、ランプ５００をランプソケット２１０から容易に取り外すことができる。
【００２２】
この実施の形態では、ソケット側係合部の具体的構成としてバネ２３０を例に説明をしたが、ソケット側係合部は、変形部（爪部２３５）を有する構成であればよい。変形部は、外力により弾性変形する弾性体により形成されたものであって、回転軸から所定の自然距離（ｄ／２）の位置に設けられ、外力を加えることにより、回転軸からの距離が大きくなる方向に変形する構造であればよい。変形部の数は、二つに限らず、一つでもよいし、三つ以上でもよいが、複数の変形部を回転軸を中心として等間隔に配置し、変形部に働く外力を合成すると打ち消しあう構造とすることが好ましい。
また、本体側係合部の具体的構成としてストッパー１３０を例に説明をしたが、本体側係合部は、回転阻止部（係止部１３３）を有する構成であればよい。回転阻止部は、回転軸から上記自然距離（ｄ／２）の位置に設けられ、ソケット側係合部を回転しようとすると、変形部と当接してソケット側係合部の回転を阻止し、変形部が変形して回転軸からの距離が大きくなると、変形部と当接しなくなり、ソケット側係合部の回転を許す構造であればよい。
【００２３】
回転阻止部の形状は、ランプソケット２１０にＦ方向へのトルクを加えた場合に、回転阻止部が、そのトルクを、変形部を変形して回転軸からの距離を大きくする外力に変換する構造であることが好ましい。これにより、ランプソケット２１０にＦ方向へのトルクを加えると、変形部と回転軸との距離が大きくなり、ランプソケット２１０に加えられたトルクが所定のトルクより大きくなると、変形部が回転阻止部を乗り越えて、ソケット側係合部の回転を許す。
【００２４】
更に、回転阻止部の形状は、ランプソケット２１０にＲ方向へのトルクを加えた場合に、回転阻止部が、そのトルクを、変形部を変形して回転軸からの距離を大きくする外力には変換しない構造であることが好ましい。これにより、ランプソケット２１０にＲ方向へのトルクを加えると、変形部と回転軸との距離が大きくならず、変形部が回転阻止部を乗り越えることがないので、ソケット側係合部の回転を阻止する。
【００２５】
回転阻止部の具体的形状として、ソケット側係合部がＲ方向に回転しようとした場合に変形部と当接する側の面（外し当接部１３５）の形状は、例えば、回転軸に近いほどＲ方向に下がり、回転軸から離れるほどＦ方向に出ている形状とする。これにより、ランプソケット２１０にＲ方向へのトルクを加えると、変形部には、回転軸に近づける方向へ変形させる外力が働くことになる。
また、回転阻止部の具体的形状として、ソケット側係合部がＦ方向に回転しようとして場合に変形部と当接する側の面（締込当接部１３４）の形状は、例えば、回転軸から離れるほどＦ方向に下がり、回転軸に近いほどＲ方向に出ている形状とする。これにより、ランプソケット２１０にＦ方向へのトルクを加えると、変形部には、回転軸から遠ざける方向へ変形させる外力が働くことになる。
【００２６】
この実施の形態における照明器具８００は、ランプ５００を上記所定の回転方向（Ｆ方向）に回転させることによりねじり込んで取り付けるランプソケット２１０が、以上説明した取付け構造により、器具本体１００に取り付けられているので、ランプ５００を取り付ける際、締め過ぎによりランプソケット２１０が破損するのを防ぐことができる。
【００２７】
実施の形態２．
実施の形態２について、図５〜図６を用いて説明する。
この実施の形態では、実施の形態１で説明した取付け構造の変形例について説明する。
【００２８】
図５は、この実施の形態におけるストッパー１３０の形状を示す底面図である。
この図に示すように、切欠部１３６の深さを浅くして対向する切欠当接部１３７の間の距離ｗを大きくしたり、ストッパー１３０の直径φを小さくしたり、締込当接部１３４の角度を浅くしたりすることにより、爪部２３５が係止部１３３を乗り越えるのに必要なトルクの閾値を小さくすることができる。
逆に、切欠部１３６の深さを深くして対向する切欠当接部１３７の間の距離ｗを小さくしたり、ストッパー１３０の直径φを大きくしたり、締込当接部１３４の角度を深くしたりすることにより、爪部２３５が係止部１３３を乗り越えるのに必要なトルクの閾値を大きくすることができる。
【００２９】
図６は、この実施の形態におけるバネ２３０の形状を示す正視図である。
この図に示すように、爪部２３５は、内側斜め上方向ではなく、ほぼ真上方向を向いている構造であってもよい。
また、爪部２３５の先に、外側に折り曲げた形状の足部２３６がある構造であってもよい。
【００３０】
このほか、バネ２３０の厚みを厚くしたり薄くしたりすることによっても、爪部２３５が係止部１３３を乗り越えるのに必要なトルクを大きくしたり小さくしたりすることができる。
【００３１】
爪部２３５が係止部１３３を乗り越えるのに必要なトルクの閾値は、ランプソケット２１０が破損する可能性があるトルクよりも小さく、ランプソケット２１０にランプ５００を取り付ける際、ランプ５００とランプソケット２１０との摩擦により、ランプソケット２１０に加わるトルクよりも大きい値であることが好ましい。この値は、ランプソケット２１０によって異なるが、最も好適な値になるよう、ストッパー１３０やバネ２３０の形状などを設計することが可能である。
【００３２】
ストッパー１３０に設ける切欠部１３６の数がもっと多い構成としてもよい。そうすれば、ランプソケット２１０が回転した際の停止位置を、９０度ごとではなく、６０度ごとあるいは４５度ごとなどとすることができる。
【符号の説明】
【００３３】
１００  器具本体、１１０  飾りパイプ、１１１  止め部、１１２  ネジ山、１１３  溝部、１２０  セード受、１３０  ストッパー、１３１  中央部、１３２，２３７  貫通穴、１３３  係止部、１３４  締込当接部、１３５  外し当接部、１３６  切欠部、１３７  切欠当接部、１４０  ナット、２００  ソケット部、２１０  ランプソケット、２２０  ソケット台、２３０  バネ、２３１  取付部、２３２  ネジ穴、２３３  腕部、２３４  曲折部、２３５  爪部、２３６  足部、２４０  止め輪、３００  セード、４００  吊下げコード、５００  ランプ、８００  照明器具。
【図１】
2010177158.tif 000003
【図２】
2010177158.tif 000004
【図３】
2010177158.tif 000005
【図４】
2010177158.tif 000006
【図５】
2010177158.tif 000007
【図６】
2010177158.tif 000008